(57)【要約】【課題】吸液箇所の視認性に優れるキッチンペーパーを提供する。【解決手段】複数のシートが積層されているキッチンペーパーであって、表面シートが白色シートであり、これに隣接して積層されるシートのその積層面に模様が付与されているキッチンペーパーにより解決される。【選択図】図１
2010234758.tif 000002
【特許請求の範囲】
【請求項１】
複数のシートが積層され、表面シートが白色シートであり、これに隣接して積層されるシートの積層面に印刷による模様が付与され、前記白色シートの地色の白色度と、前記積層された模様が付与されたシートのその模様部分の白色度との差が５以上であり、
シートが吸液したときに、当該吸液部分について前記白色シートを透過して前記模様が視認可能となることを特徴とする衛生薄葉紙。
【請求項２】
吸液したときに視認可能となる模様によって、吸液された液の量に基づく情報が判断可能となる請求項１記載の衛生薄葉紙。
【請求項３】
シート面に対する模様部分の面積が、５０％以下である請求項１又は２記載の衛生薄葉紙。
【請求項４】
前記模様が、所定間隔で配列された模様である請求項１〜３の何れか１記載の衛生薄葉紙。
【請求項５】
前記模様が、格子模様である請求項１〜４の何れか１項に記載の衛生薄葉紙。
【請求項６】
エンボスが付与されている請求項１〜５の何れか１項に記載の衛生薄葉紙。
【請求項７】
表面側を構成するシートのエンボスの天部と裏面側を構成するシートのエンボスの底部とが対面して積層されている、請求項６記載の衛生薄葉紙。
【発明の詳細な説明】
【技術分野】
【０００１】
本発明は、衛生薄葉紙に関し、特に、油分や水分の吸収が視覚的に確認しやすい衛生薄葉紙に関する。
【背景技術】
【０００２】
衛生薄葉紙は、生活の種々の場面に応じて、例えば、キッチンペーパー、ティシューペーパー、トイレットペーパー、タオルペーパー等として用いられ、普及しているものである。
上記の種々の衛生薄葉紙においては、例えば、キッチンペーパーであれば、食品の包装、煮物の落とし蓋、鮮魚等のドリップ吸収材、水きり、油漉し、揚げ物の過剰油分の吸収用途、台所周りの拭き掃除など多岐に渡るが、吸水性、吸油性等の液吸収性は求められる重要な機能である。
このため、キッチンペーパーにかかる衛生薄葉紙は、一般的に、エンボス加工を施した原紙を適宜枚数積層して形成され、シート繊維間の空隙による毛管現象を主たる吸液機構として各シートのエンボス間の空隙に水分、油分等を取り込み保持するように構成されることが多い。また、キッチンペーパーにかかる衛生薄葉紙は、清潔感が求められることから、白色度が高いものが求められる。
【０００３】
他方、衛生薄葉紙の他の形態であるティシューペーパーは、一般家庭内の居間、寝室、書斎、及び事務所等においては広く使用される。このティシューペーパーの用途は、鼻かみ、手拭き、テーブル、机上の拭き取り、その他様々に汎用的に使用されていて、拭き取り性や鼻かみ時の肌ざわりはもちろんのこと、吸水性、吸油性が求められている。
このためティシューペーパーは、２〜３プライ構造で積層され、シート層及びシート繊維間の空隙による毛管現象を主たる吸液機構として各シートの空隙に水分、油分等を取り込み保持するように構成される。このティシューペーパーにかかる衛生薄葉紙おいても、清潔感が求められることから、白色度が高いものが求められる。
【０００４】
他方、衛生薄葉紙の他の形態であるトイレットペーパーやタオルペーパーは、トイレおよび手洗場においてはよく使用されものである。トイレットペーパーの用途は、おしり拭き、シャワートイレ使用による便座等の水拭き、トイレ内の掃除に使用されていて、おしりも拭き取り時の肌ざわりや拭き取り性はもちろんのこと、最近では特にシャワートイレ使用時において吸水性、裏抜けしない安心感が求められる。
このためトイレットペーパーにかかる衛生薄葉紙は、一般的に、エンボス加工を施した薄葉紙のシートを適宜枚数積層して形成され、シート層およびシート繊維間の空隙による毛管現象を主たる吸液機構として各シートのエンボス間の空隙に主に水分等を取り込み保持するように構成される。
また、トイレットペーパーにおいては、従来経済性や用途などから古紙パルプを主原料とした単層もしくは２層の再生トイレットペーパーの需要が根強いが、最近では清潔感が求められることから、白色度が高いものが求められる。
【０００５】
他方、タオルペーパーは、トイレ使用後等の手洗い後の水の拭き取り、その他の用途に使用されていて、拭き取り性、吸水性が求められている。
このためタオルペーパーは、主に単層、もしくは２層プライ構造で積層され、シート層及びシート繊維間の空隙による毛管現象を主たる吸液機構として各シートの空隙に水分等を取り込み保持するように構成される。
この種のタオルペーパーにおいては、手拭きの用途で主であることから従来古紙パルプから作られる再生タオルペーパーの需要が多いが、最近では清潔感が求められることから、白色度が高いものが求められる。
【０００６】
このように衛生薄葉紙は、多岐にわたって使用されるものであるが、吸水性、吸油性に代表される吸液性が極めて重要な機能となっているとともに、白色度が高く清潔感のあることが求められる。
しかしながら、従来衛生薄葉紙は、このような吸液性能が重要でありながらも、吸収された後に、吸液の位置や量を視覚的に、また直感的に判断しがたいものであった。
【０００７】
特に、衛生薄葉紙は、白色度の高いものが求められるため、吸水、吸油しても紙のコントラスト変化が少なく、一見して液吸収がどの程度なされているのかが視覚的に判りづらいという欠点があった。
このような点に着目した従来技術としては、例えば、「油脂拭き取り用紙状体」としてキッチンペーパーに相当する技術の開示があるが、これは単に着色層と吸油層を貼り合わせ、吸油により吸油層が透明化するもので、吸油性、吸油量の識別という点では十分ではないし、吸水については機能が担保されていない。
また、３層構造のティシューペーパー等で中層に着色させ、表面から着色を視認可能とした技術もしられるが、この技術は意匠性を考慮したものであり、吸液量や吸液した範囲が視認可能になるものではない。さらに、酸塩基指示薬等の薬液を用いて吸水した部分を呈色させて吸水を識別させる紙はあるが、酸塩基指示薬自身が水溶性であるがゆえ、紙を透過して手に転移する可能性があり、吸水量の多い用途には適していない。また吸油については原理的に効果のないものである。
【先行技術文献】
【特許文献】
【０００８】
【特許文献１】特開２００５−２８８７６４
【特許文献２】実開Ｓ４９−１２４８６７
【特許文献３】特開２００７−４４５３９
【特許文献４】特開２００７−２１１６８
【特許文献５】特開２００６−９５２６３
【発明の概要】
【発明が解決しようとする課題】
【０００９】
そこで、本発明の主たる課題は、水、油等の種々の液体の吸液の量や位置を視覚的に感ずることができ、しかも、呈色薬品等を用いずに簡易かつコスト安な衛生薄葉紙を提供することにある。
【課題を解決するための手段】
【００１０】
上記課題を解決した本発明及び作用効果は次記のとおりである。
＜請求項１記載の発明＞
複数のシートが積層され、表面シートが白色シートであり、これに隣接して積層されるシートの積層面に印刷による模様が付与され、前記白色シートの地色の白色度と、前記積層された模様が付与されたシートのその模様部分の白色度との差が１０以上であり、
シートが吸液したときに、当該吸液部分について前記白色シートを透過して前記模様が視認可能となることを特徴とする衛生薄葉紙。
【００１１】
（作用効果）
本発明のキッチンペーパーＸ１においては、例えば、液体を拭き取ったり、揚げ物をおいて余分な油を吸収させたりすると、シート繊維間に液体が入り込み裏面側が透けて見やすくなり、これにより白色シート面或いは模様シートの模様非付与面から、模様シートの模様が浮き上がるようにして視認可能となる。この作用によって、本発明のキッチンペーパーでは、清潔感、安心感をもって使用することができるとともに、吸液されている位置や概ねの量を視覚的にとらえることができるものとなる。
【００１２】
＜請求項２記載の発明＞
吸液したときに視認可能となる模様によって、吸液された液の量に基づく情報が判断可能となる請求項１記載の衛生薄葉紙。
【００１３】
（作用効果）
視認可能となる模様によって、吸液量に基づく情報が判断可能になると、使用者における利便性が高まる。
【００１４】
＜請求項３記載の発明＞
シート面に対する模様部分の面積が、５０％以下である請求項１又は２記載の衛生薄葉紙。
【００１５】
（作用効果）
清潔感のある衛生薄葉紙となる。
【００１６】
＜請求項４記載の発明＞
前記模様が、所定間隔で配列された模様である請求項１〜３の何れか１記載の衛生薄葉紙。
【００１７】
（作用効果）
模様が所定間隔で配列されていると、吸液によって視認可能となったとき当該模様の個数などの数滴情報から吸液量やこれに基づく情報、或いは吸液の範囲などの情報を視認判断しやすくなる。
【００１８】
＜請求項５記載の発明＞
前記模様が、格子模様である請求項１〜４の何れか１項に記載の衛生薄葉紙。
【００１９】
（作用効果）
請求項４記載の発明の効果がより顕著なものとなる。
【００２０】
＜請求項６記載の発明＞
【００２１】
エンボスが付与されている請求項１〜５の何れか１項に記載の衛生薄葉紙。
【００２２】
（作用効果）
拭き取り性、吸液性等の衛生薄葉紙に求められる基本的機能が向上する。また、白色シートと模様シートとの間に空隙が形成され吸液前における模様の視認が困難となり、模様による違和感がなく清潔感のあるもとなる。
【００２３】
＜請求項７記載の発明＞
表面側を構成するシートのエンボスの天部と裏面側を構成するシートのエンボスの底部とが対面して積層されている、請求項６記載の衛生薄葉紙。
【００２４】
（作用効果）
本構成のエンボスとすると、非吸液時にはシート間に適当な間隔があり、模様の隠蔽性に優れるとともに、吸液時には、模様が視認しやすくなるものとなる。
【発明の効果】
【００２５】
本発明によれば、水、油等を吸液を視覚的に判断しやすくした衛生薄葉紙が提供される。
【図面の簡単な説明】
【００２６】
【図１】本発明のキッチンペーパーＸ１を説明するための斜視図である。
【図２】本発明のキッチンペーパーＸ１の使用状態を説明するための斜視図である。
【図３】本発明のキッチンペーパーＸ１の断面拡大図である。
【発明を実施するための形態】
【００２７】
次いで、本発明の実施の形態について、図面を参照しながら以下に詳述する。図１は、本形態のキッチンペーパーを事例としたキッチンペーパーＸ１の説明図、図２は、使用時の態様を説明するための斜視図、図３は、キッチンペーパーＸ１の断面拡大図である。
【００２８】
本形態のキッチンペーパーＸ１は、好適な例として薄葉紙からなる複数のシート１，２を積層してなり、各シート１，２にエンボス加工がなされている。なお、複数のシート１，２は、それぞれがプライ構造をとっていてもよい。本発明においてはいわゆるプライ数と積層数は異なる意味である。また、エンボスは必ずしも付与されていなくてもよい。さらには、図示例では２層（２枚のシート）で構成されるものであるが、本発明はこの積層数に限定されない。
【００２９】
本発明のキッチンペーパーＸ１では、特徴的に表面シート１が白色シート１とされ、これに隣接して積層される裏面シート２の積層面に印刷による模様２０が付与されている（以下、このシートを模様シートという）。
【００３０】
そして、前記白色シート１の地色の白色度と、前記積層された模様が付与されたシートのその模様２０の白色度との差が１０以上とされている。
【００３１】
かかる構成をとることにより、図２にも示されるように、例えば液体Ｗを吸液したときに、白色シート表面或いは模様シート２の非模様付与面側から模様が視認可能となる。
【００３２】
ここで、本発明においては白色シート１は、具体的には白色度が７５以上のものであるのが望ましい。この範囲であると清潔感のある印象となるとともに、後述の吸液箇所の視認性に優れるものとなる。また、かかる白色シート１における不透明度は７５〜９８％であるのが望ましい。模様を有する模様シート２と積層したときに、当該シート２の模様２０を効果的に隠蔽できる。
【００３３】
シート１，２を構成するためのパルプ原料としては、晒しパルプと呼ばれる漂白パルプが望ましく、なかでもＬＢＫＰ（広葉樹クラフトパルプ）、ＮＢＫＰ（針葉樹クラフトパルプ）などを適宜の比率で配合したものが望ましい。但し、本発明においては原料パルプはこれに限定されない。古紙パルプ等も利用可能である。
【００３４】
他方、模様シート２は、印刷・印字・混抄などの適宜の技術によって、地色と異なる模様２０を付与したシートである。模様２０は、簡易に付することができる点で、着色インキ等により所定の図柄や図案を描くのが望ましい。印刷などは、例えば、薄葉紙に対する既知の印刷技術を用いることができ、具体的には、グラビア印刷、フレキソ印刷などにより形成することができる。
【００３５】
ここで、模様２０の形成に用いるインキとしては、染料インキ、顔料インキを問わず、トイレットペーパー、ティシューペーパー、キッチンペーパーなどの薄葉紙の印刷に用いられている既知のインキが利用できる。これらのインキによって印刷して模様を形成すれば、地色と異なる図案を付与することができる。
【００３６】
模様の具体的な図案や図柄の形成範囲、大きさ、形状などは特に限定されるものではなく、ロゴマーク、数字、文字、幾何学模様など適宜の図案、適宜の大きさを選択することができる。
但し、吸液したときに視認可能となる模様２０によって、吸液された液の量に基づく情報が判断可能となるようにすべく、例えば、前記模様２０が、所定間隔で配列された模様であり、特に格子模様（図示例）であるのが望ましい。
【００３７】
すなわち、このように所定間隔で配列された模様２０であれば、吸液時に出現する格子で囲まれる矩形の数や、模様の数によって概ねの吸水量や吸油量が視覚的に判断できる。商品の説明として、格子で囲まれる部分や、模様の数がＸ個であるときの吸水量、吸油量、さらには計算される概算のカロリー量などを製品外装等に説明書きしておけば、概ねの吸液量などを使用者が判断することができる。
但し、模様シート２のシート面に対する模様２０の面積（全面積）は５０％以下であるのが望ましい。５０％を超えると製造が困難となるとともに、清潔感が低下する。
【００３８】
また、限定はされないが模様２０と地の部分とのＬ＊ａ＊ｂ＊表色系におけるＬ＊値の差ΔＬ＊は３．０以上あるのが望ましい。なお、Ｌ＊値の測定は、例えば日本電色工業製の測定装置「ＰＦ−１０」を用いて行うことができる。
さらに、本発明では、模様シート２の地について、付与した模様が明瞭に視認されるように、また、模様非付与面から模様が非吸液時に視認されないようにするために、ＪＩＳ Ｐ ８１４９に基づく不透明度が７５〜９８％とするのが望ましい。
【００３９】
なお、本発明においては、地の部分の白色度については、白色シートと同様であるのが望ましい。
【００４０】
本発明においては、上述の白色度差をもって、白色シート１と模様シート２とが積層されることによって、乾燥状態においては、白色シート１或いは模様シートの模様非付与面を介しては模様シート２の模様２０が隠蔽された状態となり模様シート２の模様２０を視認し難く、使用者は一見清潔感のあるものと感ずるものとなり、また、食品等に触れる用途にしようする際には、これらの面を使用できることから、安心感をもって使用することができる。
【００４１】
そのうえで、本発明のキッチンペーパーＸ１においては、例えば、液体を拭き取ったり、揚げ物をおいて余分な油を吸収させたりすると、シート繊維間に液体が入り込み裏面側が透けて見やすくなり、これにより模様シート２の模様２０が浮き上がるようにして視認可能となる。この作用によって、本発明のキッチンペーパーＸ１では、清潔感、安心感をもって使用することができるとともに、吸液されている位置や概ねの量を視覚的にとらえることができるものとなる。この点においては、上述の白色シート１の地色と模様シート２の模様２０との白色度差の範囲かつ白色度の範囲内であるとより好ましい効果が得られる。
【００４２】
ここで、本発明においては、上述の吸液前、吸液後の見栄えの差について、特に白色シート２の面から純水を１ｃｃ滴下したときに、滴下部分における滴下前と、純水が透過して視認可能となった模様２０との見栄えの差が、ＪＩＳ  Ｐ  ８１５０の規定に定められているΔＥａｂ＝√（ΔＬ2＋Δａ2＋Δｂ2）の値として、５．０≦△Ｅａｂ≦２０．０であるのが望ましい。５．０未満であると見栄えの変化が視認し難い。また、２０．０を達成するには、濃色の模様が必要となりキッチンペーパー全体の清潔感を損なうものとなるおそれがたかくなる。
【００４３】
また、本発明においては、さらに吸液前、吸液後の見栄えの差について、白色シートの面からサラダ油（このサラダ油は限定されないが、「日清サラダ油」日清オイリオグループ株式会社であれば問題無く使用できる）を１ｃｃ滴下したときに、滴下部分における滴下前と、サラダ油が浸透して視認可能となった模様との見栄えの差が、ＪＩＳ  Ｐ  ８１５０の規定に定められているΔＥａｂ＝√（ΔＬ2＋Δａ2＋Δｂ2）の値が、４．０≦△Ｅａｂ≦１８．０であるのが望ましい。理由は、上述の純水を滴下した場合と同様である。なお、Δは水又は油の滴下前後での各々Ｌ値、ａ値、ｂ値の差である。
【００４４】
一方、本発明においては、模様シート２の坪量よりも白色シート１の坪量が大きいのが望ましい。このようにすると、乾燥時には白色シート１を介して、模様シート２の模様２０を視認し難くなり、一層清潔感のあるものとなるとともに、吸液量を増加させることができる。特に、白色シート側面を使用することによる安心感、清潔感が向上される。
【００４５】
ここで、本発明の白色シート１、模様シート２における具体的な坪量は限定されないが例示すれば、白色シート１において１８〜３５ｇ／ｍ2、模様シート２においては、１４．５〜２５ｇ／ｍ2程度である。この範囲を超えると、紙が硬くなり、この範囲未満であると吸液性、使用時の手肉感が得られ難くなる。なお、坪量は、衛生薄葉紙の用途やプライ数、例えば、トイレットペーパーであるとか、タオルペーパーであるとかに応じて適宜調整することができる。なお、本発明における坪量は、ＪＩＳ  Ｐ  ８１２４に基づくものである。また、各シートをプライ構造とする場合には、プライ全体としての坪量である。
【００４６】
さらに、本発明のキッチンペーパーＸ１では、模様シート２よりも白色シート１のクレープ率が高いのが望ましい。白色シート１のクレープ率を高くすることで、上述の坪量差を設けた場合と同様の効果が得られる。ここで、本発明において各シートのクレープ率は既知の範囲適宜定めることができるが、好適な範囲としては、キッチンペーパーであれば、白色シートにおけるクレープ率が１３〜３０％、模様シートにおけるクレープ率が１５〜３５％程度であるのがよい。このクレープ率の具体的な数値範囲も衛生薄葉紙の用途に応じて適宜変更することができる。
【００４７】
なお、本発明におけるクレープ率とは、（（（製紙時のドライヤーの周速）−（リール周速））／（製紙時のドライヤーの周速）×１００）により算出することができる。
【００４８】
他方、本発明のキッチンペーパーにおいては、白色シートの紙厚が夕食シートの紙厚よりも厚いものであるのがよい。
【００４９】
なお、紙厚の測定方法としては、ＪＩＳ Ｐ ８１１１の条件下で、ダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。なお、紙厚は測定を１０回行って得られる平均値とする。また、各シートをプライ構造とする場合には、プライ全体としての紙厚である。
【００５０】
他方、本発明にかかるキッチンペーパーＸ１では、白色シート１と模様シート２とがともにエンボスｅが付与されている。より具体的には、両シート１，２は、エンボスｅ，ｅを介して積層一体化されている。本発明のキッチンペーパーＸ１におけるエンボス付与形態は、特に図３に示すように表面側を構成する白色シート１のエンボスｅの天部ｔと裏面側を構成する模様シート２のエンボスｅの底部ｂとが対面して積層されている、いわゆる「Ｎｅｓｔｅｄ」形式のものが望ましい。「Ｎｅｓｔｅｄ」形式では、空隙部分において両シートの距離が短いために吸液によって両シートが近接しやすく、白色シートを介しての模様シートの模様が視認可能となる効果に優れる。
【００５１】
但し、両シート１，２の天面同士が接着される所謂「Ｔｉｐ ｔｏ Ｔｉｐ」の形態であってもよい。なお、ここでの天部ｔとは対面するシートからみて接近するように突出する凸部の頂面、底部とは対面するシートからみて離間するように凹む凹部の底面である。
【００５２】
シートに対して行うエンボス加工は、例えば、一対のエンボスロール間に被エンボス加工シートを通すことにより行うことができる。一対のエンボスロールは、両方とも金属ロールとすることもできるが、一方をゴムなどからなる弾性ロールとし、他方をエンボス付与凸部を有する金属ロールとするのが好ましい。弾性ロール及び金属ロールの組み合わせが好ましいのは、ロールのクリアランス調整の問題や、ロールに紙粉等が詰まるなどの不具合が生じないためである。
【００５３】
一方、エンボス付与するにあたっては、一対のエンボスロールが両方又は一方のエンボスロールを加熱した状態で行うことができる。エンボスロールが加熱されていると、エンボスがより鮮明・明瞭に付与されるようになる。
【００５４】
加熱されているエンボスロールは、弾性ロールであってもよいが、金属ロールである方が、好ましい。これは、金属ロールの方が、熱伝導率がよく効果的に加熱による効果が発揮されるということのほか、金属ロールが加熱されていると、エンボスの形状に対応した形で、シート又はシート地に熱が与えられることになり、付与されるエンボスが、より鮮明・明瞭になるためである。
【００５５】
この場合、加熱ロールの表面温度は、一対のエンボスロールが、両方とも金属ロールであるか、弾性ロールと金属ロールとの組み合わせであるか、弾性ロール及び金属ロールのいずれが加熱されているか、などに関わらず、４０〜１４０℃、好ましくは６０〜１２０℃、より好ましくは８０〜１００℃とされる。加熱温度が低すぎると、エンボスが鮮明になるとの効果が、十分に発揮されないおそれがある。他方、加熱温度が高すぎると、エネルギーロスとなるほか、シート又はシート地が焼き付くおそれや、製造されるシート又はシート地が固くなるおそれがある。
【００５６】
エンボスｅ，ｅの付与は、一対のエンボスロール間のエンボス圧が、５〜３０ｋｇ／ｃｍ、好ましくは１０〜２５ｋｇ／ｃｍ、より好ましくは１５〜２０ｋｇ／ｃｍとなるように行う。エンボス圧が低すぎると、エンボスが鮮明になるとの効果が、十分に発揮されないおそれがある。他方、エンボス圧が高すぎると、被加工原紙がちぎれてしまうおそれがある。
【００５７】
一対のエンボスロールを、弾性ロールと金属ロールとの組み合せとする場合、弾性ロールは、その表面のショア硬度（Ｓｈｏｒｅ ｈａｒｄｎｅｓｓ）が、４０〜７０であるのが好ましい。ショア硬度が低すぎると、つまり弾性ロール表面がやわらかすぎると、シート又はシート地が破断するおそれがある。他方、ショア硬度が高すぎると、つまり弾性ロール表面が硬すぎると、エンボスが入らなくなるおそれがある。
【００５８】
他方、エンボスｅ，ｅの具体的形状は、適宜の設計事項である。例えば、天部ｔの形状を正方形とし、隣接する天部間の凹部の形状が台形型のエンボスとしている。天部の形状は、正方形のほか、菱形、円形、楕円形、多角形などでもよい。
【００５９】
また、天部ｔは、各シートを接着剤により接着するのであれば平坦とするのが好ましい。天部ｔの面積は、０．１〜４０ｍｍ2、より好ましくは０．２５〜４．０ｍｍ2、特に好ましくは０．５〜２．０ｍｍ2である。天部ｔの面積が狭すぎる、シート相互の十分な接着強度を得ることができなくなる。他方、天部ｔの面積が広すぎると、エンボスによる吸収空間の容積が小さくなるため、十分な吸収能力を得ることができなくなる。
【００６０】
エンボスｅ，ｅ…の深さＤも適宜の設計事項であるが、概ね０．１ｍｍ以上、好適には０．５ｍｍ以上、さらに望ましくは１．３ｍｍ以上とするのがよい。
多数のエンボスｅ，ｅ…により形成されるエンボスパターンもまた適宜の設計事項であり、審美性、機能性を考慮して従来既知のエンボスパターンを適宜採用できる。
【００６１】
ここで、本形態のキッチンペーパーＸ１の強度については、横方向の湿潤引張強さを、縦方向（マシン方向）の湿潤引張強さ以下とし、かつその横方向の湿潤引張強さを１２０ｃＮ以上とするのが好ましく、１５０ｃＮ以上とするのがより好ましい。一般に、現在市販されている坪量１０〜５０ｇ／ｍ2のキッチンペーパーＸ１は、横方向の湿潤引張強さが、１００ｃＮ程度であるものが多い。しかるに、本形態では、横方向の湿潤引張強さを高めることによって、天ぷらや揚げ物等に含まれる水分や油分を吸収した際においても、鮮明・明瞭に付与したエンボスが崩れことがなく、天ぷらや揚げ物等がべたついたり、貼り付いたりすることがなくなる。
【００６２】
キッチンペーパーＸ１の横方向の湿潤引張強さを高めるためには、例えば、原料パルプに界面活性剤等の湿潤紙力増強剤を添加することや、原料パルプの種類を選択し、あるいは原料パルプの叩解を調整するなどして、湿潤紙力増強剤の定着を高めること、などによることができる。ただし、過度に横方向の湿潤引張強さを高めると、シートの柔軟性などの阻害要因となるため、横方向の湿潤引張強さは、５００ｃＮ以下とするのが好ましく、３５０ｃＮ以下とするのがより好ましい。一方、縦方向の湿潤引張強さは、適宜選定できるが、通常は横の湿潤引張強さの１倍以上である。なお、上述した湿潤引張強度は、実仕様形態で測定されるもので、例えば、２層構造の製品であれば、２層構造での湿潤引張強度を測定するものである。
【００６３】
なお、上記形態は、キッチンペーパーを例に説明したが、本発明はこのキッチンペーパーに限定されるものではない。既知の薄葉紙製造技術、坪量の調整など、エンボス付与技術など、既知の技術に基づいて、本発明にかかるティシューペーパー、トイレットペーパー、タオルペーパーとすることができる。
【実施例】
【００６４】
次いで、本発明の効果を確認するための試験を行なったので以下に詳述する。
まず、本発明にかかる試料を作成し、実際に水滴、油的を滴下し、その吸液前と吸液後とで、白色度、色差がどの程度変化するかについて測定し、模様部分について十分な視認差が得られるか否かについて試験した。結果は表１〜４のとおりである。なお、表１及び表３は、水滴を滴下して試験したもので、表２及び表４は油的を滴下して試験したものである。
【００６５】
【表１】
2010234758.tif 000003
【００６６】
【表２】
2010234758.tif 000004
【００６７】
【表３】
2010234758.tif 000005
【００６８】
【表４】
2010234758.tif 000006
【００６９】
表１〜４の結果より、本発明の構成をとることで、吸水時であっても吸油時であっても、模様が透けて視認できることが知見され、本発明の効果が確認された。
【符号の説明】
【００７０】
１…表面シート、２…裏面シート、２０…模様、ｅ…エンボス、ｔ…エンボスの天部、ｂ…エンボスの底部、Ｘ１…キッチンペーパー、Ｗ…水滴。
【図１】
2010234758.tif 000007
【図２】
2010234758.tif 000008
【図３】
2010234758.tif 000009